(57)【特許請求の範囲】
【請求項１】
冷蔵庫の側面に設置する収納棚であって、
前後方向にスライド移動し、キャスタを備えた底板と、引手部を備えた前板と、前記前板の奥側に位置する背板と、前記前板と背板との間に架設された複数の棚板と、前記前板の上部と前記背板の上部との間に架設された天板と、を有する棚部と、
冷蔵庫の側面に固着し前記棚部に対するスライド機構を備えた上枠部と、
冷蔵庫の側面に固着し前記棚部の下部に対するガイドを備えた下枠部と、を備え、
前記上枠部は、冷蔵庫の側面に固着する固定上枠と、前記固定上枠の短辺方向に移動可能な可動上枠と、を有し、
前記前板は、冷蔵庫側に位置するとともに前記底板と前記天板とが固定した固定前板と、前記固定前板の短辺方向に移動可能な可動前板と、を有し、
前記背板は、冷蔵庫側に位置するとともに前記底板と前記天板とが固定した固定背板と、前記固定背板の短辺方向に移動可能な可動背板と、を有し、
前記棚板は、前記固定前板と前記固定背板との間に架設された固定棚板と、前記固定棚板の短辺方向に移動可能な可動棚板と、を有することを特徴とする収納棚。
【請求項２】
前記上枠部及び前記下枠部が磁石によって冷蔵庫の側面に固着することを特徴とする請求項１記載の収納棚。
【請求項３】
前記可動前板が前記固定前板の外側に位置し、前記可動背板が前記固定背板の外側に位置するとともに、
前記可動棚板は、前記可動前板と前記可動背板との間に架設された保持バーと、前記固定棚板と、で保持され、
さらに、前記固定前板と前記固定背板とは、前記棚部の縮位置において前記保持バーが収まる溝部を有することを特徴とする請求項１または請求項２に記載の収納棚。
【発明の詳細な説明】
【技術分野】
【０００１】
本発明は、冷蔵庫の横のスペースに設置する収納棚に関するものである。
【背景技術】
【０００２】
近年、冷蔵庫の設置スペースを考慮に入れて台所の設計等を行う場合がある。また、冷蔵庫の設置スペースを考慮に入れて家具や台所設備を配置する場合がある。この場合、冷蔵庫の設置スペースは大型の冷蔵庫にも対応可能なように余裕を持って設計される場合が多い。しかしながら、このような冷蔵庫の設置スペースに、幅の狭いスリムタイプの冷蔵庫を設置した場合、冷蔵庫の横に１５０ｍｍ〜２００ｍｍ程度の中途半端な隙間が生じる。この中途半端な隙間はスペースの無駄となる他、外観上も好ましいものではない。この問題点に対して、細長な隙間に収容可能で前後方向にスライド移動する収納家具が多く市販されている。尚、長辺方向の寸法を調整可能な収納棚として、例えば下記［特許文献１］に記載の考案が開示されている。
【先行技術文献】
【特許文献】
【０００３】
【特許文献１】実開平５−４８７３３号公報
【発明の概要】
【発明が解決しようとする課題】
【０００４】
しかしながら、冷蔵庫の幅は各社、各製品によって様々であり、この隙間寸法に合う収納家具を見つけるのは困難である。また、上記の収納家具は単に隙間に収納するもののため、冷蔵庫との一体感に欠けるという問題点がある。
【０００５】
本発明は上記事情に鑑みてなされたものであり、冷蔵庫の側壁に設置し且つ幅寸法の調整が可能な収納棚を提供することを目的とする。
【課題を解決するための手段】
【０００６】
本発明は、
（１）冷蔵庫５の側面に設置する収納棚であって、
前後方向にスライド移動し、キャスタ１０を備えた底板３２と、引手部１２を備えた前板４０と、前記前板４０の奥側に位置する背板４２と、前記前板４０と背板４２との間に架設された複数の棚板４４と、前記前板４０の上部と前記背板４２の上部との間に架設された天板３４と、を有する棚部５０と、
冷蔵庫５の側面に固着し前記棚部５０に対するスライド機構２２を備えた上枠部２０と、
冷蔵庫５の側面に固着し前記棚部５０の下部に対するガイド２４を備えた下枠部２６と、を備え、
前記上枠部２０は、冷蔵庫５の側面に固着する固定上枠２０ａと、前記固定上枠２０ａの短辺方向に移動可能な可動上枠２０ｂと、を有し、
前記前板４０は、冷蔵庫５側に位置するとともに前記底板３２と前記天板３４とが固定した固定前板４０ａと、前記固定前板４０ａの短辺方向に移動可能な可動前板４０ｂと、を有し、
前記背板４２は、冷蔵庫５側に位置するとともに前記底板３２と前記天板３４とが固定した固定背板４２ａと、前記固定背板４２ａの短辺方向に移動可能な可動背板４２ｂと、を有し、
前記棚板４４は、前記固定前板４０ａと前記固定背板４２ａとの間に架設された固定棚板４４ａと、前記固定棚板４４ａの短辺方向に移動可能な可動棚板４４ｂと、を有することを特徴とする収納棚８０を提供することにより、上記課題を解決する。
（２）前記上枠部２０及び前記下枠部２６が磁石によって冷蔵庫５の側面に固着することを特徴とする上記（１）記載の収納棚８０を提供することにより、上記課題を解決する。
（３）前記可動前板４０ｂが前記固定前板４０ａの外側に位置し、前記可動背板４２ｂが前記固定背板４２ａの外側に位置するとともに、
前記可動棚板４４ｂは、前記可動前板４０ａと前記可動背板４２ｂとの間に架設された保持バー（第３の保持バー３６ｃ）と、前記固定棚板４４ａと、で保持され、
さらに、前記固定前板４０ａと前記固定背板４２ａとは、前記棚部５０の縮位置において前記保持バー（第３の保持バー３６ｃ）が収まる溝部３７を有することを特徴とする上記（１）または（２）に記載の収納棚８０を提供することにより、上記課題を解決する。
【発明の効果】
【０００７】
本発明に係る収納棚は、棚部を収容する上枠部と下枠部とが冷蔵庫の側面に固着するため、あたかも冷蔵庫の付属品のような一体感があり高いデザイン性を有している。また、本発明に係る収納棚は、幅寸法が調整可能であるため、様々な幅の冷蔵庫の様々な隙間寸法に対応することができる。これにより、キッチンスペースの美観を向上させることができる。
【図面の簡単な説明】
【０００８】
【図１】本発明に係る収納棚の縮位置における斜視図である。
【図２】本発明に係る収納棚の四面図である。
【図３】本発明に係る収納棚の延伸位置における斜視図である。
【図４】本発明に係る収納棚の固定棚板と可動棚板を説明する図である。
【図５】本発明に係る収納棚の使用状態を示す図である。
【発明を実施するための形態】
【０００９】
本発明に係る収納棚８０の実施の形態について図面に基づいて説明する。ここで、図１は本発明に係る収納棚８０の斜視図である。また、図２（ａ）は本発明に係る収納棚８０の正面図（前面図）であり、図２（ｂ）は上面図であり、図２（ｃ）は側面図であり、図２（ｄ）は背面図である。尚、図１、図２は、収納棚８０（棚部５０）の短辺方向の長さを最短とした縮位置における図である。
【００１０】
本発明に係る収納棚８０は、図１に示すように、前後方向にスライド移動する棚部５０と、冷蔵庫５の側面に固着し棚部５０に対するスライド機構２２を備えた上枠部２０と、同じく冷蔵庫５の側面に固着し棚部５０の下部に対するガイド２４を備えた下枠部２６と、を有している。
【００１１】
また、棚部５０は図１、図２に示すように、キャスタ１０を備えた底板３２と、引手部１２を備えた前板４０と、この前板４０の奥側に位置する背板４２と、この前板４０と背板４２との間に架設され収容物７を載置する複数の棚板４４と、前板４０の上部と背板４２の上端との間に架設された天板３４と、を有している。
【００１２】
そして、上枠部２０は、冷蔵庫５の側面に固着する固着面２１を備え断面略Ｌ字形の固定上枠２０ａと、この固定上枠２０ａの上側に位置し固定上枠２０ａの短辺方向に移動可能な可動上枠２０ｂと、を有している。そして、スライド機構２２は、この固定上枠２０ａと棚部５０の天板３４との間に設置される。尚、収納棚８０に用いるスライド機構２２には特に限定はなく、周知のスライド機構を用いることができる。ここでは、固定上枠２０ａと天板３４とにスライドレールを備え、このスライドレール間を摺動するスライドバーを備えたスライド機構２２を用いた例を示している。また、下枠部２６は、冷蔵庫５の側面に固着する固着面２７と、底板３２もしくはキャスタ１０と接することで棚部５０のスライド移動を規制誘導するガイド２４と、を有し、断面略Ｌ字形を呈している。尚、固着面２１、固着面２７には例えばシート状もしくは薄板状の磁石を設置し、上枠部２０及び下枠部２６を磁力によって冷蔵庫５の側面に固着させることが好ましい。また、上枠部２０と下枠部２６とは縦板等で連結し、上枠部２０と下枠部２６の間隔を固定するようにしても良い。
【００１３】
また、前板４０は、冷蔵庫５側に位置する固定前板４０ａと、この固定前板４０ａの外側（前面側）に位置し固定前板４０ａの短辺方向に移動可能な可動前板４０ｂと、を有している。また、背板４２は、冷蔵庫５側に位置する固定背板４２ａと、この固定背板４２ａの外側（奥側）に位置し固定背板４２ａの短辺方向に移動可能な可動背板４２ｂと、を有している。そして、固定前板４０ａの上部と固定背板４２ａの上端との間に天板３４が固定され、固定前板４０ａの下部と固定背板４２ａの下端との間に底板３２が固定される。そして、固定前板４０ａ、固定背板４２ａ、天板３４、底板３２が棚部５０の固定枠を形成する。尚、固定枠の上部には、棚部５０の強度向上のため補強板１４等を設けても良い。また、前板４０（固定前板４０ａ及び可動前板４０ｂ）の上端は、天板３４の設置位置よりも上に伸ばし、上枠部２０及びスライド機構２２を正面側から見えないようにすることがデザイン性の面から好ましい。また、前板４０の下端は、底板３２の設置位置よりも下に伸ばし、キャスタ１０を正面側から見えないようにすることがデザイン性の面から好ましい。
【００１４】
可動上枠２０ｂ、可動前板４０ｂ、可動背板４２ｂの移動機構（位置調整手段）には特に限定はなく周知の手法を用いることができる。尚、ここでは可動上枠２０ｂ、固定前板４０ａ、固定背板４２ａのそれぞれに長孔を形成し、この長孔におけるネジ止め位置を変えることで可動上枠２０ｂ、可動前板４０ｂ、可動背板４２ｂの位置調整を行う例を示している。
【００１５】
また、収容物７を載置する棚板４４は、固定前板４０ａと固定背板４２ａとの間に架設された固定棚板４４ａと、可動前板４０ｂ、可動背板４２ｂ側に設けられ可動棚板４４ｂと、を有している。そして、可動棚板４４ｂは固定棚板４４ａの短辺方向に移動が可能である。尚、固定棚板４４ａ、可動棚板４４ｂはパンチングメタル板等の薄板を用いることが好ましいが、特にこれに限定されるわけではなく如何なる部材を用いても良い。ただし、可動棚板４４ｂが厚い場合、固定棚板４４ａとの間に段差が生じるため、可動棚板４４ｂは固定棚板４４ａとの間に大きな段差が生じない程度の厚みの部材を用いることが好ましい。
【００１６】
そして、可動前板４０ｂ、可動背板４２ｂが移動すると、可動棚板４４ｂもそれに伴って移動する。これにより、図３に示すように、棚部５０の幅寸法（短辺方向の寸法）が広くなる。また、棚部５０の幅寸法に応じて可動上枠２０ｂの位置を調整する。これにより、上枠部２０が棚部５０の上方を閉塞する。尚、図３は棚部５０の短辺方向の長さが最長となった延伸位置での状態を示す図である。
【００１７】
次に、棚板４４の保持機構の一例を図４を用いて説明する。ここで、図４（ａ）は縮位置における棚板４４の概略図であり、図４（ｂ）は延伸位置における棚板４４の概略図である。また、図４（ｃ）は縮位置における棚板４４の部分拡大図であり、また、図４（ｄ）は延伸位置における棚板４４の部分拡大図である。
【００１８】
図４に示すように固定前板４０ａと固定背板４２ａとの間には、第１の保持バー３６ａと、第２の保持バー３６ｂとが棚板４４の数、架設されている。そして、固定棚板４４ａはＬ字型を呈しており、側壁側の端部が第１の保持バー３６ａに係止され、底面側の端部が第２の保持バー３６ｂに係止され、これにより固定棚板４４ａは固定前板４０ａ、固定背板４２ａ間に保持される。尚、この固定棚板４４ａの保持方法は一例であり、固定棚板４４ａを固定前板４０ａ、固定背板４２ａ間に直接固定しても良い。
また、可動前板４０ｂと可動背板４２ｂとの間には、第３の保持バー３６ｃが棚板４４の数、架設されている。また、可動棚板４４ｂは固定棚板４４ａと対称なＬ字型を呈しており、可動棚板４４ｂの側壁側の端部が第３の保持バー３６ｃに係止され、底面が固定棚板４４ａの底面上に載置され保持される。これにより、可動棚板４４ｂは可動前板４０ｂ、可動背板４２ｂ間に保持される。尚、可動棚板４４ｂの長辺方向の長さは固定棚板４４ａの長さと同等もしくはこれよりも若干短い長さとする。そして、可動棚板４４ｂは第３の保持バー３６ｃを介して可動前板４０ｂと可動背板４２ｂとに固定する。さらに、固定前板４０ａ及び固定背板４２ａには、棚部５０が縮位置にあるときに第３の保持バー３６ｃが収まる溝部３７が形成される。そして、棚部５０が縮位置にあるときには第３の保持バー３６ｃがこの溝部３７内に嵌入するとともに、可動棚板４４ｂは固定前板４０ａ、固定背板４２ａ間に収容される。これにより、本発明に係る収納棚８０は、棚部５０の幅寸法を固定前板４０ａの寸法にまで縮小することができる。
【００１９】
次に、本発明に係る収納棚８０の使用方法を説明する。先ず、冷蔵庫５の側面に上枠部２０及び下枠部２６を固着する。次に、冷蔵庫５の側面の隙間寸法に合わせて固定前板４０ａ、固定背板４２ａの位置を調整し固定する。これにより、可動棚板４４ｂの位置も固定される。また、これと並行して冷蔵庫５の側面の隙間寸法に合わせて可動上枠２０ｂの位置を調整し固定する。これにより、図５（ａ）に示すように、冷蔵庫５の側面の隙間の前面が収納棚８０の前板４０で閉塞され、隙間の上面が上枠部２０によって閉塞される。
【００２０】
そして、使用時には引手部１２を持って棚部５０を前側に引き出すことで、スライド機構２２がスライドするとともに、底板３２のキャスタ１０が転動して、図５（ｂ）に示されるように、棚部５０が前方にスライド移動する。そして、使用後には棚部５０を押し込むことで、棚部５０は後方にスライド移動して上枠部２０、下枠部２６間に収納される。
【００２１】
以上のように、本発明に係る収納棚８０は、棚部５０を収容する上枠部２０と下枠部２６とが冷蔵庫５の側面に固着するため、あたかも冷蔵庫５の付属品のような一体感があり高いデザイン性を備えている。また、上枠部２０、下枠部２６の固着に磁石を用いることで、使用者は簡単に上枠部２０、下枠部２６の取付けを行うことができる。また、冷蔵庫５側に疵や粘着テープ痕が残ることも無い。
【００２２】
また、本発明に係る収納棚８０は、幅寸法が調整可能であるため、様々な幅の冷蔵庫５の様々な隙間寸法に対応することができる。そして、冷蔵庫５横の隙間の正面側及び上面側を綺麗に閉塞することができる。これにより、キッチンスペースの美観を向上させることができる。また、冷蔵庫５横の隙間を収容物７の収容場所として有効に利用することができる。
【００２３】
尚、本例で示した収納棚８０、棚部５０の各部の形状、構成、寸法、機構等は一例であり、本発明は本発明の要旨を逸脱しない範囲で変更して実施することが可能である。
【符号の説明】
【００２４】
５      冷蔵庫
１０    キャスタ
１２    引手部
２０    上枠部
２０ａ  固定上枠
２０ｂ  可動上枠
２２    スライド機構
２４    ガイド
２６    下枠部
３２    底板
３４    天板
３６ｃ  保持バー（第３の保持バー）
３７    溝部
４０    前板
４０ａ  固定前板
４０ｂ  可動前板
４２    背板
４２ａ  固定背板
４２ｂ  可動背板
４４    棚板
４４ａ  固定棚板
４４ｂ  可動棚板
５０    棚部
８０    収納棚
【要約】
【課題】冷蔵庫の側壁に設置し且つ幅寸法の調整が可能な収納棚を提供する。
【解決手段】この収納棚８０は、棚部５０を収容する上枠部２０と下枠部２６とが冷蔵庫５の側面に固着するため、あたかも冷蔵庫５の付属品のような一体感があり高いデザイン性を備えている。また、この収納棚８０は、幅寸法が調整可能であるため、様々な幅の冷蔵庫５の様々な隙間寸法に対応することができる。そして、冷蔵庫５横の隙間の正面側及び上面側を綺麗に閉塞することができる。これにより、キッチンスペースの美観を向上させることができる。また、冷蔵庫５横の隙間を収容物７の収容場所として有効に利用することができる。
【選択図】図１【図１】
0005799151.tif 000002
【図２】
0005799151.tif 000003
【図３】
0005799151.tif 000004
【図４】
0005799151.tif 000005
【図５】
0005799151.tif 000006